(57)【要約】【課題】搭乗者の意思を反映しながら電池の充電制御を行う。【解決手段】車載充電制御装置１０が一方的に負荷を遮断または出力制限するのではなく、負荷１５ａ〜１５ｆをオフまたは出力制限するのか、燃費を低下させても充電量をアップするのか、あるいは、単数または複数の負荷１５ａ〜１５ｆを自由に選択してオフまたは出力制限するのか、過去の選択履歴に基づいて出力制限負荷を自動的にオフまたは出力制限するのか、といった電池１１の充電についての処理動作について、タッチパネル等の表示入力装置１３を通じて搭乗者の意思を確認してから実際の処理を行う。搭乗者の意思に背いて快適性を損なうことを防止しながら、必要な充電量を確保できる。特にオフする負荷１５ａ〜１５ｆを選択できるので便利である。【選択図】図１
2006088865.tif 000002
【特許請求の範囲】
【請求項１】
自動車に搭載された電池の充電状態を判定し、前記電池の充電状態が低下している場合に、前記電池の充電のための搭乗者の意思を所定の入力手段からの信号に基づいて確認し、当該信号に基づいて、前記電池を充電するための複数の処理のうちのいずれかを選択的に実行する制御回路部を備える車載充電制御装置。
【請求項２】
請求項１に記載の車載充電制御装置であって、
前記電池を充電するための処理が、自動車に搭載された複数の負荷のうちの単数または複数の電源をオフまたは出力制限することを含み、
前記制御回路部が、前記入力手段を通じて選択された負荷の電源をオフまたは出力制限することを特徴とする車載充電制御装置。
【請求項３】
請求項２に記載の車載充電制御装置であって、
前記制御回路部が、自動車に搭載された所定の報知手段に対して、前記電池から遮断または出力制限する負荷の選択候補を搭乗者に報知するよう制御することを特徴とする車載充電制御装置。
【請求項４】
請求項１に記載の車載充電制御装置であって、
前記電池を充電するための処理が、発電機から出力される充電電圧を制御する充電制御指令と、自動車に搭載された負荷を前記電池から遮断または出力制限する負荷制限指令とを含むことを特徴とする車載充電制御装置。
【請求項５】
請求項４に記載の車載充電制御装置であって、
前記制御回路部が、自動車に搭載された所定の報知手段に対して、選択候補としての前記充電制御指令及び前記負荷制限指令を搭乗者に報知するよう前記報知手段を制御することを特徴とする車載充電制御装置。
【請求項６】
請求項３または請求項５に記載の車載充電制御装置であって、
前記入力手段及び前記報知手段が、タッチパネルとして一体化されたことを特徴とする車載充電制御装置。
【請求項７】
請求項２または請求項３に記載の車載充電制御装置であって、
前記入力手段を通じて選択された負荷の選択履歴を記録する記録手段をさらに備え、
前記制御回路部が、前記記録手段に記録された前記選択履歴に基づいて負荷を自動的に選択し遮断または出力制限することが可能とされたことを特徴とする車載充電制御装置。
【請求項８】
請求項３に記載の車載充電制御装置であって、
前記入力手段を通じて選択された負荷の選択履歴を記録する記録手段をさらに備え、
前記制御回路部が、前記記録手段に記録された前記選択履歴に基づいて、負荷の選択候補の報知順序を変更することを特徴とする車載充電制御装置。
【請求項９】
請求項１から請求項７のいずれかに記載の車載充電制御装置であって、
前記制御回路部が、前記電池の充電状態が良好な状態に復帰したときに、自動的にまたは前記入力手段からの信号に基づいて、前記電池の充電のために実行されている処理を停止することを特徴とする車載充電制御装置。
【発明の詳細な説明】
【技術分野】
【０００１】
本発明は、電池の充電状態を制御する車載充電制御装置に関するものである。
【背景技術】
【０００２】
自動車においては、図７の如く、エンジン１が回転しているときに、発電機３によってエンジン１の回転力を電流エネルギーに変換し、ここで発生した電力を各種の負荷５に供給するとともに、余剰の電力を用いて電池（バッテリ）７の充電を図る。
【発明の開示】
【発明が解決しようとする課題】
【０００３】
ところで、電池７の状態が満充電に近い状態であれば、自動車内の各種負荷５を動作させる上で問題はないが、電池７が過放電状態の場合は、そのままエンジン１をオフにすると、次にスタータキーをオンにしても、スタータの駆動電圧に満たないくらいに電池７の電圧が低下してしまい、いわゆる電池切れの状態が発生するおそれがある。
【０００４】
かかる事態を防止するため、例えば電池切れの状態が発生しそうな場合に、負荷５の一部を自動的に遮断するよう設定することが可能である。
【０００５】
例えば、自動車の負荷５には、走る、曲がる、止まる等の制御系電子ユニットと、車室内の快適性を確保するなどの付加機能系電子ユニットとがあり、自動車走行の安全性等を考慮すると、制御系電子ユニットは重要度が高いのに対して、付加機能系電子ユニットは緊急性が低いものがほとんどである。したがって、必要に応じて付加機能系電子ユニットを遮断しても差し支えない場合が多い。このため、電池切れの状態が発生しそうな場合には、付加機能系電子ユニットを自動的に遮断して省電力モードに切り替わるよう設定することが可能である。
【０００６】
しかしながら、例えば、搭乗者であるユーザーによっては、カーオーディオはオフにしてもよいが、可能であればカーエアコン（空気調和機）をオンのままにしておきたい場合がある。あるいは、状況によっては、カーエアコン（空気調和機）は自動的にオフまたは出力制限してもよいが、ＡＣ１００Ｖ電源に接続されたパーソナルコンピュータはオンのままにしておきたい場合もある。
【０００７】
このような場合に、緊急性の低い付加機能系電子ユニットであっても、搭乗者の意思に基づくことなく強制的に遮断されると、搭乗者は一方的に快適性を損なうというデメリットがあるため好ましくない場合が多く、自動車全体の商品性が低下するおそれがある。
【０００８】
そこで、本発明の課題は、搭乗者の意思を反映しながら、電池の充電制御を行う車載充電制御装置を提供することにある。
【課題を解決するための手段】
【０００９】
上記課題を解決すべく、請求項１に記載の発明は、自動車に搭載された電池の充電状態を判定し、前記電池の充電状態が低下している場合に、前記電池の充電のための搭乗者の意思を所定の入力手段からの信号に基づいて確認し、当該信号に基づいて、前記電池を充電するための複数の処理のうちのいずれかを選択的に実行する制御回路部を備えるものである。
【００１０】
請求項２に記載の発明は、請求項１に記載の車載充電制御装置であって、前記電池を充電するための処理が、自動車に搭載された複数の負荷のうちの単数または複数の電源をオフまたは出力制限することを含み、前記制御回路部が、前記入力手段を通じて選択された負荷の電源をオフまたは出力制限するものである。
【００１１】
請求項３に記載の発明は、請求項２に記載の車載充電制御装置であって、前記制御回路部が、自動車に搭載された所定の報知手段に対して、前記電池から遮断または出力制限する負荷の選択候補を搭乗者に報知するよう制御するものである。
【００１２】
請求項４に記載の発明は、請求項１に記載の車載充電制御装置であって、前記電池を充電するための処理が、発電機から出力される充電電圧を制御する充電制御指令と、自動車に搭載された負荷を前記電池から遮断または出力制限する負荷制限指令とを含むものである。
【００１３】
請求項５に記載の発明は、請求項４に記載の車載充電制御装置であって、前記制御回路部が、自動車に搭載された所定の報知手段に対して、選択候補としての前記充電制御指令及び前記負荷制限指令を搭乗者に報知するよう前記報知手段を制御するものである。
【００１４】
請求項６に記載の発明は、請求項３または請求項５に記載の車載充電制御装置であって、前記入力手段及び前記報知手段が、タッチパネルとして一体化されたものである。
【００１５】
請求項７に記載の発明は、請求項２または請求項３に記載の車載充電制御装置であって、前記入力手段を通じて選択された負荷の選択履歴を記録する記録手段をさらに備え、前記制御回路部が、前記記録手段に記録された前記選択履歴に基づいて負荷を自動的に選択し遮断または出力制限することが可能とされたものである。
【００１６】
請求項８に記載の発明は、請求項３に記載の車載充電制御装置であって、前記入力手段を通じて選択された負荷の選択履歴を記録する記録手段をさらに備え、前記制御回路部が、前記記録手段に記録された前記選択履歴に基づいて、負荷の選択候補の報知順序を変更するものである。
【００１７】
請求項９に記載の発明は、請求項１から請求項７のいずれかに記載の車載充電制御装置であって、前記制御回路部が、前記電池の充電状態が良好な状態に復帰したときに、自動的にまたは前記入力手段からの信号に基づいて、前記電池の充電のために実行されている処理を停止するものである。
【発明の効果】
【００１８】
請求項１に記載の発明の車載充電制御装置は、電池の充電についての処理について、搭乗者の意思を確認してから実際の処理を行うので、搭乗者の意思に背いて快適性を損なうことを防止しながら、必要な充電量を確保できる。
【００１９】
請求項２に記載の発明の車載充電制御装置は、入力手段により搭乗者が負荷を自由に選択してオフまたは出力制限することが可能なので、搭乗者の好みやそのときの都合に合わせて負荷を遮断または出力制限でき、快適性を損なうのを防止できて便利である。
【００２０】
請求項３に記載の発明の車載充電制御装置は、負荷を選択する際に、その選択候補が報知手段によって報知されるので、これらの選択候補を搭乗者が選択するだけでよいため、搭乗者の労力を軽減できる。
【００２１】
請求項４に記載の発明の車載充電制御装置は、電池を充電するための処理が、発電機から出力される充電電圧を制御する充電制御指令と、自動車に搭載された負荷を電池から遮断または出力制限する負荷制限指令とを含むので、充電制御指令による燃費の低下と、負荷制限指令による快適性阻害を容易に選択することができ便利である。
【００２２】
請求項５に記載の発明の車載充電制御装置は、充電制御指令と負荷制限指令といった選択候補が報知手段によって報知されるので、これらの選択候補を搭乗者が選択するだけでよいため、搭乗者の労力を軽減できる。
【００２３】
請求項６に記載の発明の車載充電制御装置は、入力手段と報知手段がタッチパネルとして一体化されているので、搭乗者にとっては極めて操作が容易となる利点がある。
【００２４】
請求項７に記載の発明の車載充電制御装置は、入力手段を通じて選択された負荷の選択履歴を記録手段に記録し、その選択履歴に基づいて負荷を自動的に選択し遮断または出力制限することが可能なので、搭乗者の好みや性向に応じた負荷の遮断または出力制限を自動的に行うことができ便利である。
【００２５】
請求項８に記載の発明の車載充電制御装置は、入力手段を通じて選択された負荷の選択履歴を記録手段に記録し、その選択履歴に基づいて負荷の選択候補の報知順序を変更するので、選択操作が容易になる利点がある。
【００２６】
請求項９に記載の発明の車載充電制御装置は、電池の充電状態が良好な状態に復帰したときに、自動的にまたは入力手段からの信号に基づいて、電池の充電のために実行されている処理を停止するので、不必要な快適性阻害を防止できる。
【発明を実施するための最良の形態】
【００２７】
｛第１実施形態｝
＜構成＞
図１は本発明の第１実施形態に係る車載充電制御装置１０が自動車に搭載された状態を示すブロック図である。この車載充電制御装置１０は、図１の如く、電池（バッテリ）１１の充電状態（ＳＯＣ）を検出し、電池１１の充電量が一定量まで低下したときに、所定の表示入力装置１３を通じて搭乗者の意思の確認を行いながら、負荷１５ａ〜１５ｆ及び発電機（オルタネータ）１７に対して電池１１の充電に関わる種々の制御を行うものである。
【００２８】
表示入力装置１３は、電池１１の充電のための搭乗者の意思表示を入力する入力手段と電池１１の充電のための処置を促したり選択候補を搭乗者に示したりする報知手段とが一体化されたもので、例えば、液晶ディスプレイ及び画像表示制御回路を備えた画像出力デバイスと、抵抗膜方式、静電容量方式、電磁誘導方式または超音波表面弾性波（ＳＡＷ）等が使用されたタッチ操作式入力デバイスとが一体化されたタッチパネルが適用される。即ち、この表示入力装置１３は、搭乗者が、出力デバイスに表示された画像を視認しながら同時にタッチ操作を行うことが可能に構成されている。尚、この表示入力装置１３は、例えばカーナビゲーション装置（図示省略）の表示部と兼用される。即ち、車載充電制御のための後述の各種画面３４，３６，４１（図２〜図５）が表示されていないときには、カーナビゲーション装置の地図案内画面等の種々の機能画面が随時表示される。
【００２９】
複数の負荷１５ａ〜１５ｆは、自動車に搭載されるもののうち、走る、曲がる、止まる等の制御系電子ユニットを除いた付加機能系電子ユニットであり、例えば、カーオーディオ装置やカーエアコン装置（車載空気調和機）等の車室内の快適性を確保する等の電気機器が適用される。
【００３０】
また、複数の負荷１５ａ〜１５ｆのうち、一部の負荷１５ａ〜１５ｃは、通常は外部のスイッチ２２ａ〜２２ｃから入力される信号に基づいてオンオフするのに対して、他の負荷１５ｄ〜１５ｆは、負荷制御装置１６ｄ〜１６ｆによって電源のオンオフ及び出力調整が行われる。そして、前者の負荷１５ａ〜１５ｃの電源は、車載充電制御装置１０を通じて供給され、後者の負荷１５ｄ〜１５ｆの電源は、各負荷制御装置１６ｄ〜１６ｆを通じて供給される。
【００３１】
発電機１７は、内部にレギュレータ１７ａを備えており、このレギュレータ１７ａを制御することで、エンジン１８の回転力から発生される充電電力を制御できるようになっている。
【００３２】
そして、この車載充電制御装置１０は、外部のスイッチ２２ａ〜２２ｃのオンオフ状態に拘わらず、一部の負荷１５ａ〜１５ｃに対してその電源供給のオフまたは出力制限を行う負荷供給スイッチ部２１と、表示入力装置１３からの信号に基づいて電池１１の充電状態検知を行いながら発電機１７のレギュレータ１７ａ、各負荷制御装置１６ｄ〜１６ｆ及び負荷供給スイッチ部２１の制御を行う制御回路部２３と、フラッシュＲＯＭ等の書き換え可能な不揮発性メモリ（記録手段）２５とを備える。
【００３３】
負荷供給スイッチ部２１は、電池１１及び発電機１７に共通に接続された給電線２７と各負荷１５ａ〜１５ｃとの間に接続された複数のスイッチ２１ａ〜２１ｃで構成される。各スイッチ２１ａ〜２１ｃは、例えばパワーＭＯＳＦＥＴやリレー等が使用され、例えば、初期的にはオン状態となって各負荷１５ａ〜１５ｃと給電線２７とが接続状態とされ、制御回路部２３からの負荷制限指令により給電線２７から個別に遮断または出力制限されるなど、制御回路部２３での制御により個別にオンオフ及び出力調整するようになっている。これにより、各負荷１５ａ〜１５ｃは、外部のスイッチ２２ａ〜２２ｃによってオンオフが切り替えられるとともに、この外部の各スイッチ２２ａ〜２２ｃがオン状態であっても、制御回路部２３での制御により各スイッチ２１ａ〜２１ｃの制御が行われて、各負荷１５ａ〜１５ｃのオフまたは出力制限が行われる。
【００３４】
制御回路部２３は、例えばＲＯＭ及びＲＡＭが内蔵されたＣＰＵ（マイクロプロセッサ）を備え、例えばＲＯＭ内に記録された所定のソフトウェアプログラムを読み出してＲＡＭ内に転送し、このソフトウェアプログラムによって動作する機能部品である。ソフトウェアプログラムによって定義される制御回路部２３の機能としては、電池１１の充電状態を検知判定する電池状態判定機能と、表示入力装置１３との信号の送受信を行いながら発電機１７のレギュレータ１７ａの制御を行う充電制御指令機能と、同じく表示入力装置１３との信号の送受信を行いながら各負荷制御装置１６ｄ〜１６ｆ及び負荷供給スイッチ部２１の制御を行う負荷制限指令機能とがある。
【００３５】
電池状態判定機能は、電池１１の出力端子の電圧（放電電圧）や、電池１１の出力端子に接続された電流センサ（図示省略）及び温度センサ（図示省略）から与えられた電気量に基づいて、電池１１の充電状態を検知し、この電池１１の充電状態と、単一または複数の基準状態とを比較し、この基準状態よりも電池１１の充電状態が低下（例えば、電池１１の出力電圧や放電電流量の低下）しているか否かを判定する機能である。
【００３６】
そして、この電池状態判定機能は、電池１１の充電状態が基準状態よりも低下している旨を判定したときに、この制御回路部２３は、図２の如く、電池１１の充電状態が低下している旨のメッセージ表示３１と、後述の充電制御指令機能と負荷制限指令機能のいずれをアクティブにするかの選択候補（第１及び第２のアイコン）３２，３３とを含む第１の画面３４を、表示入力装置１３に強制的に表示するよう指示するようになっている。
【００３７】
ここで、図２の第１の画面３４中の第１のアイコン３２は、充電制御指令機能をアクティブにするための例えば「充電量のアップ」と記されたアイコンであり、望ましくは、後述のように自動車の燃費が悪化する可能性がある旨のメッセージ３２ａが附記される。また、図２の第１の画面３４中の第２のアイコン３３は、後述の負荷制限指令機能をアクティブにするための例えば「負荷制限」と記されたアイコンであり、望ましくは、一部の負荷が遮断または出力制限される旨のメッセージ３３ａが附記される。
【００３８】
制御回路部２３の充電制御指令機能は、当該充電制御指令機能がアクティブになっている限りにおいて、発電機１７のレギュレータ１７ａを制御することで、例えば電池１１の充電状態が低下している場合には、発電機１７から電池１１に与えられる回生電力量を例えば最大限に増大させるようにし、また電池１１の充電状態が良好である場合には発電機１７から電池１１に与えられる回生電力量を適正に制御するようになっている。
【００３９】
ここで、電池１１の充電状態が低下している場合には、発電機１７から電池１１に与えられる回生電力を増大させると、エンジンの回転エネルギーから多くのエネルギーが電力に変換されるため、自動車の走行燃費が低下することになる。したがって、この制御回路部２３の充電制御指令機能は、電池１１の充電状態が良好な場合以外は、図２の第１の画面３４中の第１のアイコン３２でモード選択された場合に限ってアクティブになる。
【００４０】
尚、図２の第１の画面３４中の第１のアイコン３２が一旦選択された後は、電池１１の充電状態が上記の基準状態以上に復帰するまでの間、制御回路部２３の充電制御指令機能がアクティブになり、表示入力装置１３のカーナビゲーション画面等の画面表示の一部に、例えば「充電量のアップ中」等の所定の表示（図示省略）を行うようになっている。そして、電池１１の充電状態が上記の基準状態以上に復帰した時点で、制御回路部２３の充電制御指令機能は、表示入力装置１３の一部の例えば「充電量のアップ中」といった表示を消去し、この充電制御指令機能がノンアクティブ状態となるようになっている。
【００４１】
制御回路部２３の負荷制限指令機能は、付加機能系電子ユニットとしての負荷１５ａ〜１５ｆを一部遮断または出力制限することで、電力消費量を抑制し、発電機１７からの電力を電池１１の充電用に有効利用するための機能であり、一部の負荷１５ａ〜１５ｆを遮断または出力制限することから搭乗者が不便となるため、この負荷制限指令機能は、図２の第１の画面３４中の第２のアイコン３３でモード選択された場合に限ってアクティブになる。
【００４２】
この負荷制限指令機能は、遮断または出力制限する負荷１５ａ〜１５ｆ（以下「出力制限負荷」と称する）を搭乗者が選択して遮断または出力制限する負荷選択制限モードと、過去の遮断または出力制限した負荷１５ａ〜１５ｆの選択履歴に基づいて自動的に出力制限負荷を選択遮断または選択出力制限する負荷自動制限モードとがあり、この負荷制限指令機能は、負荷選択制限モードと負荷自動制限モードとを搭乗者に選択させるための第２の画面３６（図３）を表示入力装置１３に表示する機能を含んでいる。ここで、第２の画面３６は、負荷選択制限モードをタッチ操作で選択するための選択候補である第３のアイコン３７と、負荷自動制限モードをタッチ操作で選択するための選択候補である第４のアイコン３８とを含む。
【００４３】
また、この負荷制限指令機能は、第２の画面３６で第３のアイコン３７（負荷選択制限モード）がタッチ操作で選択された場合に、さらにタッチ操作により出力制限負荷を搭乗者に選択させるように促すための第３の画面４１（図４）を表示入力装置１３に表示する機能を含んでいる。ここで、第３の画面４１は、出力制限負荷をタッチ操作で選択するための選択候補（制限候補）である複数の負荷選択アイコン４２ａ〜４２ｇと、出力制限負荷を選択した後の確認用アイコン４３とを含む。
【００４４】
尚、この図４に示した第３の画面４１は、制限候補の負荷１５ａ〜１５ｆ（出力制限負荷）をタッチ操作で選択するための画面であるが、例えば図５のように、遮断（切断）または出力制限したくない負荷１５ａ〜１５ｆをタッチ操作で選択するための画面であっても差し支えない。この場合、タッチ操作されていないアイコン４２ａ〜４２ｇに対応する負荷１５ａ〜１５ｆが、出力制限負荷として選択された負荷１５ａ〜１５ｆとなる。
【００４５】
また、負荷制限指令機能の負荷選択制限モードでは、第３の画面４１において、表示された負荷選択アイコン４２ａ〜４２ｇのうちの複数を搭乗者がタッチ操作して選択できるようになっており、選択された負荷選択アイコン４２ａ〜４２ｇは、反転表示や色変更などにより選択されたことを容易に視認できるように変化するようになっている。
【００４６】
そして、負荷制限指令機能の負荷選択制限モードでは、負荷選択アイコン４２ａ〜４２ｇが選択された状態で、確認用アイコン４３がタッチ操作された時点で、制御回路部２３は選択された出力制限負荷に対応する各負荷制御装置１６ｄ〜１６ｆ及び負荷供給スイッチ部２１に対して、出力制限負荷の電源をオフまたは出力制限するよう指令するようになっている。この場合、出力制限負荷として選択された全ての負荷１５ａ〜１５ｆの電源をオフまたは出力制限するように、各負荷制御装置１６ｄ〜１６ｆ及び負荷供給スイッチ部２１に指令信号を出力する。
【００４７】
尚、負荷制限指令機能の負荷選択制限モードにおいては、電池１１の充電を行うのに必要なだけ出力制限負荷の電源をオフまたは出力制限するまで、図４または図５に示した第３の画面４１を繰り返し表示して、出力制限負荷の選択個数を増やすように案内を行うようになっている。
【００４８】
そして、制御回路部２３は、負荷選択制限モードでのタッチ操作により選択された出力制限負荷の選択履歴を、不揮発性メモリ２５（記録手段）に記録する。即ち、不揮発性メモリ２５には、出力制限負荷の選択回数等が更新的に記録される。尚、不揮発性メモリ２５には、出力制限負荷として選択可能な負荷１５ａ〜１５ｆの例えば平均消費電力等の情報が予め記録されている。
【００４９】
そして、負荷制限指令機能の負荷選択制限モードにおいては、図４または図５に示した第３の画面４１に選択可能な制限候補となる出力制限負荷を表示する場合に、不揮発性メモリ２５に更新的に記録された出力制限負荷の選択履歴に基づいて、例えば過去の選択回数が多い順番に表示する。これにより、各搭乗者の出力制限負荷についての選択の好みに応じた制限候補の順番で第３の画面４１の表示を行うことができる。
【００５０】
制御回路部２３の負荷制限指令機能の負荷自動制限モードは、第２の画面３６で第４のアイコン３８がタッチ操作で選択された場合にアクティブになり、不揮発性メモリ２５に更新的に記録された出力制限負荷の選択履歴に基づいて、例えば各出力制限負荷の過去の選択回数が多い出力制限負荷を高い優先順位で自動的に選択し、この優先順位の高い出力制限負荷を自動的に選択し負荷１５ａ〜１５ｆの電源をオフまたは出力制限するように、各負荷制御装置１６ｄ〜１６ｆ及び負荷供給スイッチ部２１に指令信号を出力する。
【００５１】
この場合、電池１１の充電を行うのに必要なだけ出力制限負荷の電源をオフまたは出力制限するまで、出力制限負荷の選択個数をそれぞれの優先順位に従って自動的に増やすようになっている。
【００５２】
尚、負荷制限指令機能がアクティブになっている間は、電池１１の充電状態が上記の基準状態以上に復帰するまでの間、表示入力装置１３のカーナビゲーション画面等の画面表示の一部に、例えば「負荷制限中」等の所定の表示（図示省略）を行うようになっている。そして、電池１１の充電状態が上記の基準状態以上に復帰した時点で、制御回路部２３の負荷制限指令機能は、表示入力装置１３の一部の例えば「負荷制限中」といった表示を消去し、この負荷制限指令機能がノンアクティブ状態となるようになっている。
【００５３】
＜動作＞
上記構成の車載充電制御装置１０の動作を図６のフローチャートに沿って説明する。
【００５４】
まず、図６中のステップＳ０１において、車載充電制御装置１０の制御回路部２３は、電池１１の出力端子の電圧（放電電圧）や、電池１１の出力端子に接続された電流センサ（図示省略）及び温度センサ（図示省略）から与えられた電気量に基づいて、電池１１の充電状態を検知し、この電池１１の充電状態と、単一または複数の基準状態とを比較し、この基準状態よりも電池１１の充電状態が低下（例えば、電池１１の出力電圧や放電電流量の低下）しているか否かを判定する。
【００５５】
そして、ステップＳ０２で、制御回路部２３は、電池１１の充電状態が所定の基準状態に比して充分である（即ち「過負荷状態」でない）と判定した場合に、ステップＳ０３に進み、発電機１７のレギュレータ１７ａを制御することで、発電機１７から電池１１に与えられる回生電力量を適正に制御する。
【００５６】
一方、ステップＳ０２で、制御回路部２３は、電池１１の充電状態が所定の基準状態に比して低下している（即ち「過負荷状態」である）と判定した場合に、次のステップＳ０４に進む。
【００５７】
ステップＳ０４では、不揮発性メモリ２５に記録された出力制限負荷の選択履歴に基づいて、例えば各出力制限負荷の過去の選択回数が多い出力制限負荷を高い優先順位で自動的に選択し、この優先順位の高い出力制限負荷を制限候補負荷として判定（認定）する。
【００５８】
次に、ステップＳ０５において、制御回路部２３は、図２に示した第１の画面３４を、表示入力装置１３に強制的に表示し、この第１の画面３４に示されたメッセージ表示３１により、電池１１の充電状態が低下している旨を搭乗者に報知し、搭乗者による指令入力（タッチ操作）を待つ状態となる。
【００５９】
続いて、ステップＳ０６において、搭乗者が、第１の画面３４中の第１のアイコン３２をタッチ操作して選択すると、ステップＳ０７に進み、制御回路部２３は、その充電制御指令機能をアクティブにして過負荷充電制御を実行し、発電機１７のレギュレータ１７ａを制御することで、発電機１７から電池１１に与えられる回生電力量を例えば最大限に増大させる。
【００６０】
尚、制御回路部２３の充電制御指令機能がアクティブになると、電池１１の充電状態が上記の基準状態以上に復帰するまでの間、表示入力装置１３のカーナビゲーション画面等の画面表示の一部に、例えば「充電量のアップ中」等の所定の表示（図示省略）を重ねて行う。
【００６１】
一方、ステップＳ０６において、搭乗者が、第１の画面３４中の第２のアイコン３３をタッチ操作して選択すると、ステップＳ０８に進み、制御回路部２３は、その負荷制限指令機能を実行し、付加機能系電子ユニットとしての負荷１５ａ〜１５ｆを一部遮断または出力制限することで、電力消費量を抑制して、発電機１７からの電力を電池１１の充電用に有効利用する。この場合、一部の負荷１５ａ〜１５ｆを遮断または出力制限することから搭乗者が不便となるため、さらに図３に示した第２の画面３６を表示入力装置１３に表示し、負荷選択制限モードと負荷自動制限モードとの選択を搭乗者に促す。
【００６２】
ここで、第２の画面３６で第３のアイコン３７（負荷選択制限モード）がタッチ操作で選択された場合には、さらに図４または図５に示した第３の画面４１を表示入力装置１３に表示して、出力制限負荷を搭乗者に選択させるように促す。
【００６３】
この場合、制御回路部２３は、不揮発性メモリ２５に更新的に記録された出力制限負荷の選択履歴に基づいて、図４または図５に示した第３の画面４１に選択可能な制限候補を、例えば過去の選択回数が多い順番に表示する。これにより、各搭乗者の出力制限負荷についての選択の好みに応じた制限候補の順番で第３の画面４１の表示を行うことができる。
【００６４】
搭乗者が第３の画面４１中の負荷選択アイコン４２ａ〜４２ｇのいずれか単数または複数をタッチ操作して選択し、確認用アイコン４３がタッチ操作された時点で、ステップＳ０８に進み、制御回路部２３は、選択された出力制限負荷に対応する各負荷制御装置１６ｄ〜１６ｆ及び負荷供給スイッチ部２１に対して、出力制限負荷の電源をオフまたは出力制限するよう指令する。
【００６５】
この際、制御回路部２３は、負荷選択制限モードでのタッチ操作により選択された出力制限負荷の選択履歴を、不揮発性メモリ２５に記録する。即ち、不揮発性メモリ２５には、出力制限負荷の選択回数等が更新的に記録される。
【００６６】
一方、ステップＳ０６で第２の画面３６（図３）を表示入力装置１３に表示したときに、搭乗者が第２の画面３６で第４のアイコン３８をタッチ操作した場合は、負荷制限指令機能の負荷自動制限モードが選択される。そして、不揮発性メモリ２５に更新的に記録された出力制限負荷の選択履歴に基づいて、まだ出力制限負荷として選択されていない負荷１５ａ〜１５ｆのうち、例えば各出力制限負荷の過去の選択回数が多い出力制限負荷を高い優先順位のものとして自動的に選択する。
【００６７】
この場合、制御回路部２３は、不揮発性メモリ２５内に記憶された各負荷１５ａ〜１５ｆの平均消費電力の情報を読み出して、選択された出力制限負荷の平均消費電力を考慮しながら、電池１１の充電を行うのに必要なだけ出力制限負荷を選択し終えるまで、出力制限負荷の選択個数をそれぞれの優先順位に従って自動的に増やす。
【００６８】
そして、ステップＳ０８に進み、制御回路部２３は、選択した出力制限負荷に対応する各負荷制御装置１６ｄ〜１６ｆ及び負荷供給スイッチ部２１に対して、出力制限負荷の電源をオフまたは出力制限するよう指令する。
【００６９】
尚、出力制限負荷の電源をオフまたは出力制限している間は、電池１１の充電状態が上記の基準状態以上に復帰するまで、表示入力装置１３のカーナビゲーション画面等の画面表示の一部に、例えば「負荷制限中」等の所定の表示（図示省略）を重ねて行う。
【００７０】
このようにして、ステップＳ０７またはステップＳ０８の処理を行った後、ステップＳ０９に進み、制御回路部２３は、イグニションスイッチ（ＩＧ）がオフになっていないかどうかを判断し、イグニションスイッチ（ＩＧ）がオフになっていない場合には、ステップＳ０１に戻って、上述のステップＳ０１〜ステップＳ０９の動作を繰り返す。
【００７１】
ステップＳ０１〜ステップＳ０９の動作を繰り返すことで、搭乗者は、電池１１の充電を行うのに必要なだけ出力制限負荷の電源をオフまたは出力制限するまで、図４または図５に示した第３の画面４１で出力制限負荷の選択個数を増やすように選択できる。したがって、確実に電池１１の充電を行うことができる。
【００７２】
また、ステップＳ０１〜ステップＳ０９の動作を繰り返す間、電池１１が充分に充電されて、ステップＳ０２で過負荷状態が解除されると、ステップＳ０３に進み、その旨を音声や画面表示により搭乗者に報知する。そして、ステップＳ０７の処理が継続している場合は、このステップＳ０７の過負荷充電制御の処理を解除する。
【００７３】
さらに、ステップＳ０３に進んだ時点で、ステップＳ０８の処理が継続している場合は、それまで遮断または出力制限していた出力制限負荷を図４または図５と同様の画面で選択可能に表示し、搭乗者のタッチ操作により、それまで遮断または出力制限していた負荷１５ａ〜１５ｆのなかから復帰させたい負荷１５ａ〜１５ｆをタッチ操作するなどして選択させ、その選択された負荷１５ａ〜１５ｆの電源をオンする。
【００７４】
あるいは、ステップＳ０３に進んだ時点で、ステップＳ０８の処理が継続している場合に、電池１１が充分に充電された時点で、それまで遮断または出力制限していた負荷１５ａ〜１５ｆを自動的に復帰する旨を音声や画面表示で搭乗者に報知し、その後にそれまで遮断または出力制限していた全ての負荷１５ａ〜１５ｆを自動的に復帰するようにしてもよい。
【００７５】
このように、車載充電制御装置１０が一方的に負荷を遮断または出力制限するのではなく、負荷１５ａ〜１５ｆをオフまたは出力制限するのか、燃費を低下させても充電量をアップするのか、あるいは、単数または複数の負荷１５ａ〜１５ｆを自由に選択してオフまたは出力制限するのか、過去の選択履歴に基づいて出力制限負荷を自動的にオフまたは出力制限するのか、といった電池１１の充電についての処理動作についての搭乗者の意思を確認してから実際の処理を行うので、搭乗者の意思に背いて快適性を損なうことを防止しながら、必要な充電量を確保できる。
【００７６】
そして、これらの選択候補が、報知手段としての表示入力装置１３に表示（報知）され、これらの選択候補を搭乗者が選択するだけでよいので、搭乗者の操作が容易である。
【００７７】
また、負荷選択制限モードにおいては、自由に選択して負荷１５ａ〜１５ｆをオフまたは出力制限することが可能なので、例えば、カーオーディオはオフまたは出力制限にしてもよいが、可能であればカーエアコン（空気調和機）をオンのままにしておきたい場合や、あるいは、カーエアコン（空気調和機）は自動的にオフまたは出力制限してもよいが、ＡＣ１００Ｖ電源に接続されたパーソナルコンピュータはオンのままにしておきたい場合等のように、搭乗者の好みやそのときの都合に合わせて負荷１５ａ〜１５ｆを遮断または出力制限でき、快適性を損なうのを防止できて便利である。
【００７８】
さらに、負荷自動制限モードにおいては、過去の出力制限負荷の選択履歴に基づいて自動的に負荷１５ａ〜１５ｆを遮断または出力制限することも可能なので、搭乗者の好みや性向に応じた負荷１５ａ〜１５ｆの遮断または出力制限を自動的に行うことができ便利である。また負荷選択制限モードにおいても、表示入力装置１３における表示順序を変更することで、選択操作が容易になる利点がある。
【００７９】
さらにまた、モード選択により充電制御指令機能がアクティブになったときには、一切の負荷１５ａ〜１５ｆを遮断または出力制限することなく、発電機１７からの充電電圧を増加させて電池１１の充電を行うことができるので、燃費が低下するものの、搭乗者の快適性を損なうのを防止できる。
【００８０】
さらに、負荷１５ａ〜１５ｆの遮断または出力制限や燃費を犠牲にした充電制御を行っている場合に、電池１１が充分に充電した時点で、搭乗者の意思に基づいて、または自動的に、負荷１５ａ〜１５ｆへの給電を復帰させたり燃費犠牲の充電制御を解除したりできるので、不必要な快適性阻害を防止できる。
【００８１】
尚、上記実施の形態では、電池１１の充電のための搭乗者の意思表示を入力する入力手段として、表示入力装置であるタッチパネルを適用していたが、その他、例えばマイクロフォンで音声入力して音声認識を行う音声入力装置や、押しボタンまたはジョイスティック等の所定の機械的操作を行う機械的入力装置を使用しても差し支えない。
【００８２】
また、電池１１の充電のための処置を促したり選択候補を搭乗者に示したりする報知手段として、表示入力装置であるタッチパネルを適用していたが、その他、予め録音しておいた音声を出力する音声出力装置や、非タッチパネル式の表示装置を用いても差し支えない。
【００８３】
ただし、入力手段と報知手段とが、タッチパネルである表示入力装置１３として一体化されていることで、搭乗者にとっては極めて操作が容易となる利点がある。
【図面の簡単な説明】
【００８４】
【図１】本発明の第１実施形態に係る車載充電制御装置が自動車に搭載された状態を示すブロック図である。
【図２】本発明の第１実施形態に係る車載充電制御装置が表示入力装置に表示する第１の画面を示す図である。
【図３】本発明の第１実施形態に係る車載充電制御装置が表示入力装置に表示する第２の画面を示す図である。
【図４】本発明の第１実施形態に係る車載充電制御装置が表示入力装置に表示する第３の画面の一例を示す図である。
【図５】本発明の第１実施形態に係る車載充電制御装置が表示入力装置に表示する第３の画面の他の例を示す図である。
【図６】本発明の第１実施形態に係る車載充電制御装置の動作を示すフローチャートである。
【図７】一般的な自動車の電源系統を示すブロック図である。
【符号の説明】
【００８５】
１０  車載充電制御装置
１１  電池
１３  表示入力装置
１５ａ〜１５ｆ  負荷
１６ｄ〜１６ｆ  負荷制御装置
１７  発電機
１７ａ  レギュレータ
１８  エンジン
２１  負荷供給スイッチ部
２３  制御回路部
２５  不揮発性メモリ
２７  給電線
【図１】
2006088865.tif 000003
【図２】
2006088865.tif 000004
【図３】
2006088865.tif 000005
【図４】
2006088865.tif 000006
【図５】
2006088865.tif 000007
【図６】
2006088865.tif 000008
【図７】
2006088865.tif 000009